(57)【特許請求の範囲】
【請求項１】
内部に一対の電極が配置される発光部を有する発光管と、前記発光部からの光を一方に反射する反射鏡と、を備えた光源装置であって、
前記光源装置は、
第１の流路及び第２の流路に分岐され、前記発光部からの光の出射側に配設された空気導入部から流入する空気を、前記第１の流路または前記第２の流路を介して前記発光部に向けて導く冷却流路と、
前記冷却流路内において、自重により所定の回転軸を中心として回転可能に設けられた回転部材と、
内外を連通するとともに前記第１の流路及び前記第２の流路に連通する開口部を有し、前記発光管を内部に収納するハウジングと、
前記冷却流路の一部を構成し、前記ハウジング外面に接続して、光の出射側に向けて広がるように傾斜面を形成し、前記空気を前記開口部へ導くダクトと、をさらに備え、
前記回転部材は、
前記回転軸を中心とした回転の外周側となる先端部を有し、
前記回転軸が前記開口部側に位置し、前記先端部が前記開口部から離間した前記光の出射側に位置するように前記ダクト内部に設けられ、
前記回転軸に平行な方向の幅寸法が、前記先端部から前記回転軸に向け前記傾斜面に沿って小さくなるように形成され、
当該光源装置が第１の姿勢に設定された場合に前記冷却流路を前記第１の流路に切り替え、前記第１の姿勢とは異なる第２の姿勢に設定された場合に前記冷却流路を前記第２の流路に切り替える
ことを特徴とする光源装置。
【請求項２】
請求項１に記載の光源装置において、
前記光源装置は、
前記開口部と重なる位置に導入口を有する内壁部材を備え、
前記導入口は、
前記第１の流路及び前記第２の流路へ前記空気を導く第１の導入口と、
前記第１の導入口より前記光の出射側に設けられた第２の導入口と、を含み、
前記冷却流路は、
前記第２の導入口から、前記発光管の前記光の出射側に位置する端部へ前記空気の一部を導く第３の流路を有し、
前記端部は、
前記第１の姿勢及び前記第２の姿勢において、前記第３の流路を流通する空気によって冷却される
ことを特徴とする光源装置。
【請求項３】
請求項１または請求項２に記載の光源装置において、
前記第１の姿勢は、
前記第２の姿勢に対して当該光源装置の上下が逆になる姿勢であり、
前記開口部は、
当該光源装置が前記第１の姿勢及び前記第２の姿勢に設定された状態で、前記発光管の中心軸に対して水平方向に形成されている
ことを特徴とする光源装置。
【請求項４】
請求項１から請求項３のいずれかに記載の光源装置を備える
ことを特徴とするプロジェクター。
【発明の詳細な説明】
【技術分野】
【０００１】
本発明は、光源装置及びプロジェクターに関する。
【背景技術】
【０００２】
従来、プロジェクターでは、光源装置として一対の電極間で放電発光させる放電発光型の光源装置が多用される。
具体的に、光源装置は、内部に放電空間を有する略球状の発光部と、発光部の両端から互いに離間する方向に延出する一対の封止部とを有する発光管を備える。このような発光管の点灯時には、発光部の上部が最も高い温度となり、下部が最も低い温度となる。
このような発光部上部の高温状態が継続すると失透が生じやすくなる一方で、上部と下部との温度差が大きくなると黒化が生じやすくなり、光源装置が劣化しやすくなる。このため、発光部上部を効率よく冷却する必要がある。
【０００３】
そこで、従来、発光部上部に冷却風を送ることで発光部上部を効率よく冷却するプロジェクターが提案されている（例えば、特許文献１参照）。
特許文献１に記載のプロジェクター（プロジェクタ装置）では、正置き姿勢（据え置き設置）及び天吊り姿勢（天吊り設置）のどちらの状態でも、各姿勢における発光部上部（放電灯の上面）に冷却風が送られるように、冷却風の流路を回転部材（冷却風案内板）で調整している。
なお、特許文献１には、回転部材を自重により回転させることで、プロジェクターの状態が正置き姿勢と天吊り姿勢のどちらであっても、各姿勢における発光部上部に冷却風が送られるように冷却風の流路を調整する構成が開示されている（特許文献１の図３等）。
【先行技術文献】
【特許文献】
【０００４】
【特許文献１】特開２００６−９１１３２号公報
【発明の概要】
【発明が解決しようとする課題】
【０００５】
しかしながら、自重により回転部材を回転させる機構では、回転部材が小さいと回転するのに十分な重力トルクが得られずに冷却風の流路の調整が不完全となり、発光部上部を効率的に冷却できず、発光管の劣化を招き長寿命化を妨げる、という問題がある。
そこで、自重以外の力により回転部材を回転させることが考えられる（例えば、特許文献１の図６、図８等参照）が、この場合には、回転部材以外に冷却風の流路を調整する機構（バネを利用して調整する機構等）が必要となるため光源装置が大型化する、といった問題がある。
【０００６】
本発明の目的は、長寿命化及び小型化を図ることができる光源装置及びプロジェクターを提供することにある。
【課題を解決するための手段】
【０００７】
本発明の光源装置は、内部に一対の電極が配置される発光部を有する発光管を備えた光源装置であって、当該光源装置内部には、流路下流側が第１の流路及び第２の流路に分岐され、前記第１の流路または前記第２の流路を介して前記発光部に向けて空気を導く冷却流路が設けられ、前記冷却流路内において、自重により所定の回転軸を中心として回転可能に設けられた回転部材を備え、前記回転部材は、当該光源装置が第１の姿勢に設定された場合に前記冷却流路を前記第１の流路に切り替え、前記第１の姿勢とは異なる第２の姿勢に設定された場合に前記冷却流路を前記第２の流路に切り替え、前記回転部材の重心位置は、前記回転軸と前記回転軸から離間した先端部との中心位置よりも前記先端部側に設定されていることを特徴とする。
ここで、プロジェクターの光源装置として適用した場合には、例えば、プロジェクターを正置き姿勢とした場合における光源装置の姿勢を第１の姿勢とし、天吊り姿勢とした場合における光源装置の姿勢を第２の姿勢とすることができる。
【０００８】
本発明では、光源装置の姿勢を第１の姿勢から第２の姿勢にした場合または第２の姿勢から第１の姿勢にした場合に、回転部材の重心が、回転軸と先端部の中心よりも先端部側にあるため、回転部材が小さい場合であっても、回転に十分な重力トルクが得られ、回転部材を自重によってスムーズに回転させることができ、冷却風の流路の調整を確実に行うことができる。例えば、第１の姿勢及び第２の姿勢のどちらであっても、各姿勢における発光部上部に空気が導かれるように第１の流路及び第２の流路をそれぞれ形成しておくことで、各姿勢において発光部上部を効率的に冷却できる。
したがって、回転部材を小さくしてもバネ等を要さずに、各姿勢において発光部上部を確実に冷却することができるので、光源装置の長寿命化及び小型化を図ることができる。
【０００９】
本発明の光源装置では、前記回転部材は、前記回転軸に平行な方向の幅寸法が前記先端部から前記回転軸に向けて小さくなるように形成されていることが好ましい。
本発明では、回転部材を回転軸に平行な方向の幅寸法が先端部から回転軸に向けて小さくなるように形成（具体的には、三角状、台形状等に形成）することで、均一な厚みを有する板体を上記の形状とするだけで、重心位置を回転軸と先端部の中心よりも先端部側に設定でき、回転部材の製造を容易にすることができる。
【００１０】
本発明の光学装置では、内外を連通するとともに前記第１の流路及び前記第２の流路に連通する開口部を有し、前記発光管を内部に収納するハウジングと、前記冷却流路の一部を構成し、前記ハウジング外面に接続して外部の空気を前記開口部に向けて導くダクトとを備え、前記回転部材は、前記回転軸が前記開口部側に位置し、前記先端部が前記開口部から離間した側に位置するように前記ダクト内部に設けられ、前記ダクトは、前記回転部材の形状に対応して、流路幅が前記開口部側に向けて小さくなるように形成されていることが好ましい。
本発明では、回転部材は、回転軸が開口部側に位置し、先端部が開口部から離間した側に位置するようにダクト内部に設けられ、ダクトは、回転部材の形状に対応して、流路幅が開口部側に向けて小さくなるように形成することで、先端部側から開口部側に向けてダクトを通過する空気の流速を高めることができ、冷却効率を向上できる。
【００１１】
本発明の光学装置では、前記第１の姿勢は、前記第２の姿勢に対して当該光源装置の上下が逆になる姿勢であり、前記開口部は、当該光源装置が前記第１の姿勢及び前記第２の姿勢に設定された状態で、前記発光管の中心軸に対して水平方向に形成されていることが好ましい。
本発明では、発光管の中心軸に対して水平方向に開口部を形成するため、ダクトをハウジングに沿って引き回す必要がなく、流速が高い状態の空気をハウジング内に導入することができ、冷却効率を向上できる。また、ダクトを引き回す必要がないことから、光源装置の小型化を図ることができる。
【００１２】
本発明のプロジェクターは、前記光源装置を備えることを特徴とする。
本発明では、プロジェクターが前記光源装置を備えるため、前記光源装置と同様の効果を奏し得る。
【図面の簡単な説明】
【００１３】
【図１】本実施形態に係るプロジェクターの構成を示す模式図。
【図２】本実施形態における光源装置を示す斜視図。
【図３】本実施形態における光源装置を示す断面図。
【図４】本実施形態における光源装置の動作を説明するための断面図。
【図５】本実施形態における流路切替機構を示す斜視図。
【図６】本実施形態における光源装置の冷却流路を説明するための断面図。
【発明を実施するための形態】
【００１４】
以下、本発明の実施の一形態を図面に基づいて説明する。
〔プロジェクターの構成〕
図１は、本実施形態におけるプロジェクター１の概略構成を示す図である。
プロジェクター１は、画像情報に応じた画像を形成してスクリーン（図示略）上に投射する。このプロジェクター１は、図１に示すように、外装を構成する外装筐体２と、外装筐体２内部に配設される光学ユニット３と、冷却ファン４とで概略構成されている。
【００１５】
〔光学ユニットの構成〕
光学ユニット３は、制御装置（図示略）による制御の下、画像情報（画像信号）に応じて画像を形成して投射する。
この光学ユニット３は、図１に示すように、光源装置５と、レンズアレイ３１１，３１２、偏光変換素子３１３、及び重畳レンズ３１４を有する照明光学装置３１と、ダイクロイックミラー３２１，３２２、及び反射ミラー３２３を有する色分離光学装置３２と、入射側レンズ３３１、リレーレンズ３３３、及び反射ミラー３３２，３３４を有するリレー光学装置３３と、光変調装置としての３つの液晶パネル３４１、３つの入射側偏光板３４２、３つの出射側偏光板３４３、及び色合成光学装置としてのダイクロイックプリズム３４４を有する光学装置３４と、投射光学装置としての投射レンズ３５と、内部に設定された照明光軸Ａ上の所定位置に各光学部品３１〜３４を収納する光学部品用筐体３６とを備える。
【００１６】
そして、光学ユニット３では、上述した構成により、光源装置５から出射され照明光学装置３１を介した光束は、色分離光学装置３２にてＲ，Ｇ，Ｂの３つの色光に分離される。また、分離された各色光は、各液晶パネル３４１にて画像情報に応じてそれぞれ変調される。変調された各色光は、プリズム３４４にて合成されて画像となり、投射レンズ３５にてスクリーンに投射される。
なお、光学部品３１〜３５については、種々の一般的なプロジェクターの光学系として利用されているため、具体的な説明を省略し、以下では、光源装置５の構成のみを説明する。
【００１７】
〔光源装置の構成〕
光源装置５は、図１に示すように、発光管５１と、反射鏡５２とを有する光源装置本体５Ａと、平行化レンズ５３と、これらを内部に収納するハウジング６と、流路切替機構７とを備える。
なお、以下では、説明の便宜上、光源装置５の光出射側を「前方側」とし、光出射側の反対側を「後方側」と記載する。また、以下に記載する「左」及び「右」は、特に指定がなければプロジェクター１が正置き姿勢で設置された場合（この場合の光源装置５の姿勢が本発明の第１の姿勢に相当）における前方側から見た「左」及び「右」をそれぞれ意味するものとする。さらに、以下に記載する「上」及び「下」は、特に指定がなければプロジェクター１が正置き姿勢で設置された場合における「上」及び「下」をそれぞれ意味するものとする。
【００１８】
図２〜図４は、光源装置５の構成を示す図である。
具体的に、図２は、光源装置５の前方側を右側から見た斜視図であり、図３は、光源装置５の左側を後方側から見た縦断面図である。また、図４は、光源装置５の動作を説明するための縦断面図である。なお、図４では、説明の便宜上、後述する内壁部材６２２（図３）を取り外した状態を示している。
また、図２では、プロジェクター１が正置き姿勢で設置された場合での光源装置５の姿勢状態を示している。図４を除く他の図も同様である。すなわち、図２における上方側がプロジェクター１の天面側に相当し、下方側がプロジェクター１の底面側に相当する。なお、図４（Ａ）は、プロジェクター１が正置き姿勢で設置された場合での光源装置５を示し、図４（Ｂ）は、プロジェクター１が天吊り姿勢（プロジェクター１の天面が下方側に向き底面が上方側に向く姿勢）で設置された場合（この場合の光源装置５の姿勢が本発明の第２の姿勢に相当）での光源装置５を示している。つまり、正置き姿勢は、天吊り姿勢に対して光源装置５の上下が逆になる。
【００１９】
発光管５１は、図３等に示すように、略球状に膨出する発光部５１１と、発光部５１１を挟み、発光部５１１の両端から互いに離間する方向に延出する一対の封止部５１２，５１３とを有する。
発光部５１１の内部には、一対の電極Ｅ１，Ｅ２（図１）が配置され、一対の電極Ｅ１，Ｅ２間には、水銀、希ガス及び少量のハロゲンを含む発光物質が封入された放電空間が形成されている。
なお、各封止部５１２，５１３における発光部５１１とは反対側の端部には、発光管５１の外部まで延出する電極引出線５１４，５１５がそれぞれ接続され、これら電極引出線５１４，５１５に対して電圧を印加すると、発光部５１１内部が発光する。
前側の封止部５１２に設けられた電極引出線５１４には、該電極引出線５１４に電圧を印加するために、光源装置５外部に配設されるコネクター（図示略）に接続するリード線５１６が溶着されている。
反射鏡５２は、入射した光束を反射して、所定の焦点位置に収束させる。
また、平行化レンズ５３は、反射鏡５２が反射した光束を平行化し、平行化した光束を光源装置５から出射する。
【００２０】
ハウジング６は、光源装置本体５Ａ及び平行化レンズ５３を支持し、これら各光学部品５Ａ，５３を一体化する。このハウジング６は、図２に示すように、筒状部材６Ａと、遮蔽部材６Ｂとを備える。
遮蔽部材６Ｂは、図２に示すように、筒状部材６Ａの後方側に取り付けられ、反射鏡５２の後方側を覆う部材である。
【００２１】
筒状部材６Ａは、発光管５１を囲み、発光管５１の中心軸Ａｘ（図１、光源装置５から出射される光束の中心軸）に沿って延出するように形成されている。
より具体的に、筒状部材６Ａは、後方側に位置する第１筒状部６１と、前方側に位置し第１筒状部６１よりも外形の小さい筒体としての第２筒状部６２とが段差部６３を介して一体的に形成されている。
【００２２】
そして、光源装置本体５Ａは、断面略凹状に拡がる反射鏡５２における前方側の端部が段差部６３に当接した状態で筒状部材６Ａに取り付けられる。
また、平行化レンズ５３は、第２筒状部６２の前方側の端部に固定される。
上述したように筒状部材６Ａに光源装置本体５Ａ及び平行化レンズ５３が固定されることで、第２筒状部６２における後方側の開口部分が光源装置本体５Ａにて閉塞され、前方側の開口部分が平行化レンズ５３にて閉塞され、第２筒状部６２、光源装置本体５Ａ及び平行化レンズ５３にて囲まれた空間Ａｒ（図３）が形成される。
【００２３】
第２筒状部６２の右側面部６２Ａには、図４に示すように、内外を連通する開口部６２１（本発明の開口部に相当）が設けられている。具体的に、開口部６２１は、第２筒状部６２における発光管５１の中心軸Ａｘに対して水平方向の位置に形成されている。
また、第２筒状部６２の内面には、図３に示すように、当該内面に沿って内壁部材６２２が取り付けられている。内壁部材６２２は、１枚の板材を切欠加工、折曲加工等することで、一体成形されており、光源装置本体５Ａの熱からの第２筒状部６２の保護等ために設けられている。内壁部材６２２は、開口部６２１と重なる位置に第１の導入口６２３と第２の導入口６２４とを有している。第１の導入口６２３は、第２筒状部６２の後方側に設けられ、第２の導入口６２４は、第１の導入口６２３よりも前方側に設けられている。
【００２４】
そして、第１の導入口６２３の上方側と下方側には、第１の導入口６２３から導入される空気が発光管５１の発光部５１１に向かうように空間Ａｒ内部に向かって突出する案内板６２２Ａ，６２２Ｂがそれぞれ設けられている。また、第２の導入口６２４の前方と後方には、第２の導入口６２４から導入される空気が電極引出線５１４のリード線５１６との接続部に向かうように空間Ａｒ内部に向かって突出する案内板６２２Ｃ，６２２Ｄがそれぞれ設けられている。これら案内板６２２Ａ〜６２２Ｄは、内壁部材６２２を折曲加工することで形成されている。
【００２５】
なお、第２筒状部６２において、左側の左側面部６２Ｂ（図２）には、図１に示すように、空間Ａｒの空気を外部に排出するための排出口６２５が形成されている。
具体的に、排出口６２５は、平面視矩形形状を有し、左側面部６２Ｂの上下方向の略中心位置に位置し、開口部６２１と対向するように形成されている。
【００２６】
〔流路切替機構の構成〕
図５は、流路切替機構７の構成を示す図である。
具体的に、図５は、流路切替機構７の前方側を左側から見た斜視図である。
流路切替機構７は、ダクト７１と回転部材７２とを備える。
ダクト７１は、空間Ａｒ内を冷却する空気の流路の一部を構成し、外部の空気を開口部６２１に向けて導く。具体的に、ダクト７１は、上面部７１Ａ、下面部７１Ｂ及び右面部７１Ｃを備え、ダクト７１は、開口部６２１を囲うように第２筒状部６２の右側面部６２Ａにネジ穴７１１を介してネジ止めにて接続されることで、左側が第２筒状部６２の右側面部６２Ａにて閉塞される。
【００２７】
具体的に、ダクト７１は、右面部７１Ｃを前方に向けて広がるように傾斜させることで、空気導入部７１２を形成する前方側から後方側（ハウジング６への接続状態において第１の導入口６２３が位置する側）の方向に絞られた流路を形成する。
空気導入部７１２は、冷却ファン４の吐出口４１（図１）と対向し、冷却ファン４から吐出された空気を冷却風としてダクト７１内部に導入する部分である。すなわち、空気導入部７１２を介して導入された空気は、ダクト７１の内部を流通し、第１の導入口６２３及び第２の導入口６２４を介して空間Ａｒ内に導かれる。
【００２８】
なお、ダクト７１は、右面部７１Ｃの後方側の内面に、第１の導入口６２３から空間Ａｒに導入される空気が発光管５１の発光部５１１に向かうように傾斜する傾斜面７１３を備えている。そして、ダクト７１には、図５に示すように、空気導入部７１２に沿って取付枠７１４が設けられ、この取付枠７１４には、メッシュ構造（図示略）により通風性を有する保護材７１４Ａが取り付けられ、空気導入部７１２を塞いでいる。なお、保護材７１４Ａは、発光管５１の破片の飛び出し防止等の機能を果たしている。
【００２９】
回転部材７２は、ダクト７１内に自重により回転可能に軸支されている。具体的に、回転部材７２は、台形状の板で構成され、台形の上底部分に相当する一端側に回転軸７２１を備える。回転軸７２１は、ダクト７１の後方側における上下方向の略中央部に設けられている軸支部７２２Ａ，７２２Ｂに軸支されている。なお、回転部材７２の回転の外周側となる先端部７２３（台形の下底部分に相当）は、ダクト７１の前方側に位置している。つまり、回転部材７２は、回転軸７２１が開口部６２１側（より具体的には第１の導入口６２３側）に位置し、先端部７２３が開口部６２１とは離間した空気導入部７１２側に位置するように軸支される。
このように、回転部材７２は、回転軸７２１に平行な方向の幅寸法が先端部７２３から回転軸７２１に向けて小さくなるように形成されている。これにより、回転部材７２は、重心が、回転軸７２１と、当該回転軸７２１から離間した先端部７２３との中心位置よりも先端部７２３側に設定されている。
なお、ダクト６は、回転部材７２の形状に対応して、空間Ａｒ内に空気を導入する流路の流路幅が開口部６２１側に向けて小さくなるように内部空間を形成している。回転部材７２の形状に対応させることで、ダクト７２内の流路を絞るとともに、ダクト７１と回転部材７２の隙間から空気が漏れるのを防止する。
【００３０】
ここで、プロジェクター１が正置き姿勢で設置された場合には、回転部材７２は、図４（Ａ）に示す第１の状態で回転が規制される。すなわち、回転部材７２は、自重により先端部７２３が下面部７１Ｂに当接するまで回動する。つまり、回転部材７２は、プロジェクター１が正置き姿勢で設置された場合には、図４（Ａ）に示すように、上側（プロジェクター１の天面側）の流路（本発明の第１の流路に相当）を開放し、下側（プロジェクター１の底面側）の流路（本発明の第２の流路に相当）を閉塞して、空気導入部７１２を介して導入された空気を回転部材７２の上面（天面側の面）に受けて空間Ａｒの上方（天面方向）に導く。
【００３１】
一方、回転部材７２は、天吊り姿勢で設置された場合には、図４（Ｂ）に示す第２の状態で回転が規制される。すなわち、回転部材７２は、自重により先端部７２３が上面部７１Ａに当接するまで回動する。つまり、回転部材７２は、プロジェクター１が天吊り姿勢で設置された場合には、図４（Ｂ）に示すように、上側（天面側）の流路を閉塞し、下側（底面側）の流路を開放して、空気導入部７１２を介して導入された空気を回転部材７２の下面（底面側の面）に受けて空間Ａｒの下方（底面方向）に導く。
以下、冷却ファン４から吐出され発光管５１が冷却される際の空気の流路（冷却流路）を説明する。
【００３２】
〔空気の流路〕
図６は、光源装置５の冷却流路を説明するための断面図である。なお、図６は、図４と同様、内壁部材６２２を取り外した状態での構成を示している。図３及び図６に示すように、ハウジング６は、開口部６２１が第１の導入口６２３を介して前述した上側の流路及び下側の流路に連通し、第２の導入口６２４を介して電極引出線５１４のリード線５１６との接続部を冷却する空気の流路に連通する。
先ず、電極引出線５１４のリード線５１６との接続部を冷却する第３の流路について説明する。
冷却ファン４から吐出された空気は、図６等に矢印Ｒ１で示すように、空気導入部７１２を介してダクト７１内部に導入される。
ダクト７１内部に導入された空気の一部は、図６等に矢印Ｒ２で示すように、第２の導入口６２４を介して空間Ａｒに導入される。そして、第２の導入口６２４を介して空間Ａｒに導入された空気は、電極引出線５１４とリード線５１６との接続部に送られ、当該接続部が冷却される。当該接続部を冷却することで、発光管５１内部の金属箔と電極引出線５１４、及び電極引出線５１４とリード線５１６の溶着（接続）状態を良好に維持する。
そして、当該接続部を冷却した後の空気は、図６の矢印Ｒ３に示すように、排出口６２５（図１）を介して第２筒状部６２外部に排出される。
なお、当該接続部は、プロジェクター１が天吊り姿勢で設置された場合であっても、この第３の流路（Ｒ１〜Ｒ３の順路）を流通する空気によって冷却される。
【００３３】
次に、発光管５１の発光部５１１を冷却する第１の流路及び第２の流路について説明する。光源装置５は、前述した構成によって、ハウジング６内の発光部５１１に向けて外部の空気を導く冷却流路を備える。空気導入口７１２から発光部５１１間における流路下流側（第３の流路との分岐後の流路側）は、前述した上側の流路及び下側の流路に分岐されている。そして、前述したように、プロジェクター１が正置き姿勢で設置された場合には、回転部材７２によって第２の流路が閉塞され、第１の流路が使用される。天吊り姿勢で設置された場合には、回転部材７２によって第１の流路が閉塞され、第２の流路が使用される。
【００３４】
すなわち、正置き姿勢では、ダクト７１内部に導入された空気は、図６等に矢印Ｒ４で示すように、回転部材７２により空間Ａｒの上方に流通し、発光部５１１の最上部Ｐ１（図４）に向けて送風され、発光部５１１上部が冷却される。
そして、発光部５１１上部を冷却した後の空気は、図６の矢印Ｒ５に示すように、電極引出線５１４のリード線５１６との接続部を冷却した後の空気とともに、排出口６２５（図１）を介して第２筒状部６２外部に排出される。
このように、正置き姿勢では、第１の流路（Ｒ１，Ｒ４，Ｒ５の順路）を流通する空気によって、発光部５１１上部が集中的に冷却される。
【００３５】
一方、天吊り姿勢では、ダクト７１内部に導入された空気は、図４（Ｂ）に矢印Ｒ６で示すように、回転部材７２により空間Ａｒの下方（天吊り姿勢状態で見た場合の上方）に流通し、発光部５１１の最下部（天吊り姿勢状態で見た場合の最上部）Ｐ２（最上部Ｐ１とは上下対称位置）に向けて送られ、発光部５１１下部（天吊り姿勢での上部）が冷却される。
そして、発光部５１１下部を冷却した後の空気は、図６の矢印Ｒ５に示す正置き姿勢の場合と同様、第２筒状部６２外部に排出される。
このように、天吊り姿勢では、第２の流路（Ｒ１，Ｒ６，Ｒ５の順路）を流通する空気によって、発光部５１１下部（天吊り姿勢状態で見た場合の上部）が集中的に冷却される。
【００３６】
上述した本実施形態によれば、以下の効果がある。
本実施形態では、光源装置５の姿勢を正置き姿勢から天吊り姿勢にした場合または天吊り姿勢から正置き姿勢にした場合に、回転部材７２の重心が、回転軸７２１と先端部７２３の中心よりも先端部７２３側にあるため、回転部材７２が小さい場合であっても、回転に十分な重力トルクが得られ、回転部材７２を自重によってスムーズに回転させることができ、冷却風の流路の調整を確実に行うことができる。プロジェクター１が正置き姿勢及び天吊り姿勢のどちらであっても、各姿勢における発光部５１１上部に空気が導かれるように上側の流路と下側の流路をそれぞれ形成しているので、各姿勢における発光部５１１上部を効率的に冷却できる。
したがって、回転部材７２を小さくしてもバネ等を要さずに、各姿勢において発光部５１１上部を確実に冷却することができるので、光源装置５の長寿命化及び小型化を図ることができる。
【００３７】
また、回転部材７２を回転軸７２１に平行な方向の幅寸法が先端部７２３から回転軸７２１に向けて小さくなるように台形状に形成しているため、均一な厚みを有する板体を上記の形状とするだけで、重心位置を回転軸７２１と先端部７２３の中心よりも先端部７２３側に設定でき、回転部材７２の製造を容易にすることができる。
【００３８】
さらに、回転部材７２は、回転軸７２１が第１の導入口６２３、第２の導入口６２４が形成される開口部６２１側に位置し、先端部７２３が開口部６２１から離間した側に位置するようにダクト７１内部に設けられ、ダクト７１は、回転部材７２の形状に対応して、流路幅が開口部６２１側に向けて小さくなるように形成している。これにより、先端部７２３側から開口部６２１側に向けてダクト７１を通過する空気の流速を高めることができ、各冷却対象を冷却する冷却効率を向上できる。
【００３９】
また、発光管５１の中心軸Ａｘに対して水平方向に開口部６２１を形成するため、ダクト７１をハウジング６に沿って引き回す必要がなく、流速が高い状態の空気をハウジング６内に導入することができ、各冷却対象を冷却する冷却効率を向上できる。また、ダクト７１を引き回す必要がないことから、光源装置５の小型化を図ることができる。
したがって、プロジェクター１が正置き姿勢または天吊り姿勢で設置された場合であっても、発光部５１１上部を効果的に冷却でき、発光管５１の長寿命化が図れる。
そして、プロジェクター１は、上述した光源装置５を備えるので、プロジェクター１自体の長寿命化が図れ、信頼性を向上できる。
【００４０】
なお、本発明は前述の実施形態に限定されるものではなく、本発明の目的を達成できる範囲での変形、改良等は本発明に含まれるものである。
前記実施形態において、回転部材７２は、台形状の板で構成したが、本発明はこれに限らない。例えば、台形状の板の代わりに三角状の板や扇状の板を用いてもよい。また、回転部材７２の形状は、重心が、回転軸７２１と先端部７２３の中心よりも先端部７２３側にあればよく、錘を当該中心よりも先端部７２３側に固定した構成や、当該中心よりも先端部７２３側の厚みを厚くした構成等であってもよい。
実施形態では、第１の姿勢を正置き姿勢、第２の姿勢を天吊り姿勢として説明したが、これに限らず、その他の姿勢（例えば、上方に向けて投射する上方投射姿勢、下方に向けて投射する下方投射姿勢）を第１の姿勢、第２の姿勢としても構わない。
前記実施形態において、プロジェクター１は、３つの液晶パネル３４１を備える構成としたが、本発明はこれに限らない。すなわち、２つ以下、あるいは、４つ以上の液晶パネルを用いたプロジェクターにも、本発明を適用可能である。
前記実施形態において、光変調装置としては、透過型の液晶パネルの他、反射型の液晶パネルを採用しても構わない。また、光束を画像情報に応じて変調して画像を形成する光変調装置であれば、他の構成の光変調装置を採用しても構わない。例えば、マイクロミラーを用いたデバイスなど、液晶以外の光変調装置を用いたプロジェクターにも、本発明を適用可能である。このような光変調装置を用いた場合、光束入射側及び光束出射側の偏光板３４２，３４３は省略できる。
前記実施形態では、フロント投射型のプロジェクターの例のみを挙げたが、本発明は、スクリーンを備え、該スクリーンの裏面側から投射を行うリアタイプのプロジェクターにも適用可能である。
【産業上の利用可能性】
【００４１】
本発明の光源装置は、発光管の長寿命化が図れるため、プレゼンテーションやホームシアターに用いられるプロジェクターの光源装置等に利用できる。
【符号の説明】
【００４２】
１・・・プロジェクター、５・・・光源装置、６・・・ハウジング、５１・・・発光管、７１・・・ダクト、５１１・・・発光部、６２１・・・開口部、７２１・・・回転軸、７２３・・・先端部、Ｅ１、Ｅ２・・・電極、Ｒ１〜Ｒ６・・・流路、Ａｘ・・・中心軸。
【図１】
0005526869.tif 000002
【図２】
0005526869.tif 000003
【図３】
0005526869.tif 000004
【図４】
0005526869.tif 000005
【図５】
0005526869.tif 000006
【図６】
0005526869.tif 000007